(57)【要約】【課題】健康促進用敷布団には、清潔にしやすく、その健康促進の有効範囲が広く、位置が必要に応じて容易に変更でき、また、健康促進用の機能手段が突出可能な独立体でなく坐臥の快適さに悪影響を与えないことを図る。【解決手段】カバーと、カバーに入れられているクッション体と、からなっている敷布団において、カバーは、内部がいずれも扁平状態における扁平面の一部を占める上、合わせて扁平面の大部を占める状態になる複数の収容空間に区切られ、各収容空間にそれぞれ開口がついており、クッション体は複数あって、それぞれ複数の収容空間の一つに、一つの収容空間に属する開口から取り出せるように収容されており、また、複数のクッション体は、大部がエラストマー材からなっており、且つ、エラストマー材からなっているクッション体の少なくとも一つは、健康促進の機能をもっている機能性物質が混在している。【選択図】図１
0003145691.tif 000002
【実用新案登録請求の範囲】
【請求項１】
扁平状態になっているカバーと、前記カバーに入れられている扁平なクッション体と、からなっている敷布団において、
前記カバーは、内部が、いずれも前記扁平状態における扁平面の一部を占める上、合わせて前記扁平面の大部を占める状態になる複数の収容空間に区切られ、且つ、各収容空間にそれぞれ開口がついており、
前記扁平なクッション体は、複数あって、それぞれ前記複数の収容空間の一つに、該一つの収容空間に属する開口から取り出せるように収容されており、
また、前記複数のクッション体は、大部がエラストマー材からなっており、且つ、該エラストマー材からなっているクッション体の少なくとも一つは、前記エラストマー材において、健康促進の機能をもっている機能性物質が混在していることを特徴とする健康促進用敷布団。
【請求項２】
前記カバーは、下敷きとなっている第一の織物層と、上面となっている第二の織物層とからなっており、
前記第一の織物層は、ほぼ四角形になっており、
前記第二の織物層は、２枚あって、前記ほぼ四角形の第一の織物層の上面に並列に且つ合わせて同じくほぼ四角形に配置されている上、それぞれが、前記第一の織物層との縫合せにより他の一枚に向かっている方が前記開口となった一列の前記収容空間と区切られていることを特徴とする請求項１に記載の健康促進用敷布団。
【請求項３】
前記２枚の第二の織物層の互いに隣接している側縁は、いずれも下に折り畳まれており、且つ、前記区切られている収容空間のいずれにも入れられているクッション体の隣接端縁を挟んで係止するための係止手段となっていることを特徴とする請求項２に記載の健康促進用敷布団。
【請求項４】
前記少なくとも一つのクッション体には、機能性物質として、遠赤外線放射の機能をもっているもの、マイナスイオンの産生機能をもっているもの、及び抗菌機能をもっているものの少なくとも一種が混在していることを特徴とする請求項１に記載の健康促進用敷布団。
【請求項５】
前記クッション体は、２〜３．３ｍｍの範囲にある厚さになっていることを特徴とする請求項１に記載の健康促進用敷布団。
【請求項６】
前記複数のクッション体には、いずれも、通気用の通孔が複数形成されていることを特徴とする請求項１〜請求項４のいずれか一項に記載の健康促進用敷布団。
【請求項７】
前記複数の通孔の少なくとも一つの中には、芳香剤を搭載している芳香放出ユニットが取外し可能に設置されていることを特徴とする請求項６に記載の健康促進用敷布団。
【請求項８】
前記芳香放出ユニットは、前記少なくとも一つの通孔内の上開口近くに挿入されている上、その外周面が実矧ぎの接合方式で当該通孔の上開口の外周縁と接合して固定されていることを特徴とする請求項７に記載の健康促進用敷布団。
【請求項９】
前記少なくとも一つの通孔の上開口の外周縁には、複数の凹部が形成されており、
前記芳香放出ユニットが当該通孔に挿入されている場合、当該通孔の上開口外に臨んでいる前記芳香放出ユニットの外周面の一端の端縁部には、複数の凸部が前記複数の凹部と対応的に形成される上、それぞれ対応の凹部と噛み合っていることを特徴とする請求項８に記載の健康促進用敷布団。
【請求項１０】
前記芳香放出ユニットは、それ自体上開口部を持っており、且つその外周面の前記上開口部となっている箇所に前記複数の凸部がついている容器と、前記容器に収納されている前記芳香剤と、前記上開口部を覆うように前記クッション体の上面に貼られている網状蓋と、その網状蓋を覆う上、そこから指だけでも剥がせるように、更に、前記クッション体の上面に貼られている膜状蓋とからなっていることを特徴とする請求項９に記載の健康促進用敷布団。
【請求項１１】
前記少なくとも一つのクッション体には、遠赤外線放射の機能をもっている機能性物質として、ＺｎＯ２、ＡｌＯ２、ＴｉＯ２、Ｓｂ２Ｏ３微粒子からなる群より選ばれた少なくとも一つが混在していることを特徴とする請求項４に記載の健康促進用敷布団。
【請求項１２】
前記少なくとも一つのクッション体には、マイナスイオンの産生機能をもっている機能性物質として、ケイ酸塩鉱物微粒子が混在していることを特徴とする請求項４に記載の健康促進用敷布団。
【請求項１３】
前記少なくとも一つのクッション体には、抗菌機能をもっている機能性物質として、銀微粒子が混在していることを特徴とする請求項４に記載の健康促進用敷布団。
【考案の詳細な説明】
【関連出願の相互参照】
【０００１】
本出願は、２００７年８月６日に出願された台湾特許出願第０９６２１２８９４号の優先権を主張する。
【技術分野】
【０００２】
本考案は、敷布団に関し、特に扁平状態になっているカバーと、前記カバーに入れられている扁平なクッション体と、からなっている敷布団に関する。
【背景技術】
【０００３】
敷布団は、主として、扁平状態になっているカバーと、前記カバーに入れられている扁平なクッション体と、からなっていて、坐臥の快適さを提供するものである。
【０００４】
最近、坐臥の快適さだけでなく、坐臥のうち、体の調子を調整して健康を促進するための健康促進用敷布団もどんどん出て来ている。
【０００５】
体の調子を調整するために、色んなものが使用されているが、敷布団の所定箇所に、体中の血行を促進する磁石や深層組織を温める遠赤外線放射手段など、いわゆる機能性手段を取り付けるのが流行っている。
【０００６】
しかし、カバーであれ、クッション体であれ、機能性手段がどこに取り付けられていても、健康促進範囲が狭い上、坐臥姿勢もいつも変わるので、効果が体の予定箇所に発揮できず、カバーやクッション体から突出する可能性もあるので、体を突いて坐臥の快適さに悪影響を与え、また、カバーやクッション体から独立体になるので、取付け位置から外れて紛失しやすい、などの欠点がある。
【０００７】
それに、従来の敷布団におけるクッション体は、皆、膨大なものであって清潔にし難いので、埃がついたり虫が湧いたりまたは黴菌が生えたりしやすく、健康の趣旨にも適わない。
【考案の開示】
【考案が解決しようとする課題】
【０００８】
前記従来の健康促進用敷布団の欠点を改善するために、本考案は、清潔にしやすい上、その健康促進の有効範囲が広く、位置が必要に応じて容易に変更でき、また、手段が突出可能な独立体でなく坐臥の快適さに悪影響を与えない健康促進用敷布団を提供しようとすることを目的とする。
【０００９】
本考案は、簡単なのに、前記利点を果たすことができ、また、坐臥の快適さにも他の悪影響を発生しない構造を有する健康促進用敷布団を提供しようとすることをもう一つの目的とする。
【課題を解決するための手段】
【００１０】
前記目的を達成するために、本考案は、まず、扁平状態になっているカバーと、前記カバーに入れられている扁平なクッション体と、からなっている敷布団において、前記カバーは、内部が、いずれも前記扁平状態における扁平面の一部を占める上、合わせて前記扁平面の大部を占める状態になる複数の収容空間に区切られ、且つ、各収容空間にそれぞれ開口がついており、前記扁平なクッション体は、複数あって、それぞれ前記複数の収容空間の一つに、該一つの収容空間に属する開口から取り出せるように収容されており、また、前記複数のクッション体は、大部がエラストマー材からなっており、且つ、該エラストマー材からなっているクッション体の少なくとも一つは、前記エラストマー材において、健康促進の機能をもっている機能性物質が混在している健康促進用敷布団（請求項１）を提供する。
【００１１】
本考案は、また、前記カバーは、下敷きとなっている第一の織物層と、上面となっている第二の織物層とからなっており、前記第一の織物層は、ほぼ四角形になっており、前記第二の織物層は、２枚あって、前記ほぼ四角形の第一の織物層の上面に並列に且つ合わせて同じくほぼ四角形に配置されている上、それぞれが、前記第一の織物層との縫合せにより他の一枚に向かっている方が前記開口となった一列の前記収容空間と区切られている健康促進用敷布団（請求項２）を提供する。
【００１２】
本考案は、そしてまた、前記２枚の第二の織物層の互いに隣接している側縁は、いずれも下に折り畳まれており、且つ、前記区切られている収容空間のいずれにも入れられているクッション体の隣接端縁を挟んで係止するための係止手段となっている健康促進用敷布団（請求項３）を提供する。
【００１３】
前記エラストマー材からなっており、且つ、それに健康促進の機能をもっている機能性物質が混在しているクッション体、即ち健康促進効果のあるクッション体は、数も設置位置も変えられ、機能物質の機能や設置目的に決定される。
【００１４】
前記請求項２の要件によって形成される敷布団は、ほぼ四角形となるが、それに限らず、必要に応じ、他の形状に形成されても良い。
【００１５】
また、前記請求項３は、各収容空間の開口近くに簡単な係止手段を構成し、空間内におけるクッション体の開口に臨んでいる端縁を開口の方から挟んで空間内に係止して保持するが、それに限らず、必要に応じ、他の従来のファスナーを使用し、開口を閉めることによりクッション体を空間内に保持固定しても構わない。
【考案の効果】
【００１６】
前記請求項１の構成による健康促進用敷布団は、まず、そのクッション体全体が複数のクッション体に分けられているため、それぞれ軽量なものになり、また、それぞれ開口付き収容空間に収容されているため、容易に取り出せるものになるので、清潔にしやすく、そして、その機能性手段が独立体でなくクッション体と完全に合体したものであるので、外れて紛失しにくい上、クッション体やカバーから突出しなく、人の体を突いて坐臥の快適さに悪影響を与えず、また、クッション体に均一に混在している機能性物質で健康促進の効果を発揮するため、クッション体の至るところにも健康促進効果があって有効範囲が広く、更に、たとえ健康促進効果のあるクッション体が一つしかないといっても、収容位置が容易に変更できるので、使用者の必要に応じてよく対応できる、などの利点がある。もちろん、健康促進効果のあるクッション体が一以上ある場合、特に、すべてのクッション体が健康促進効果のあるものである場合、使用者の必要に応じもっと対応でき、また、各クッション体には各種の機能物質が混在していれば、使用者の必要に応じ更に対応できる。
【００１７】
また、前記健康促進用敷布団に、前記請求項２の付加要件を加えれば、簡単な構造で請求項１の構成を達成することができ、それに、前記請求項３の付加要件を更に加えれば、２枚の第二の織物層の互いに隣接している側縁がクッション体を係止するための係止手段ともなるので、各収容空間の開口にボタンやジッパーなどを用いてクッション体の逸脱を阻止する必要がなく、ボタンやジッパーが体を突いて坐臥の快適さに悪影響を与えることがない。
【考案を実施するための最良の形態】
【００１８】
以下、本考案の詳細を説明する。
【００１９】
図１は本考案の実施形態に係る敷布団を示す斜視図であり、図２は図１の敷布団のＩＩ−ＩＩ線矢視断面図である。
【００２０】
図１及び図２に示すように、本考案の健康促進用敷布団は、ほぼ四角形で、扁平状態になっているカバー１と、前記カバー１に入れられている扁平なクッション体２と、からなっている。
【００２１】
前記カバー１は、ほぼ四角形のものであるが、その内部が、いずれも前記扁平状態における扁平面の一部を占める上、合わせて前記扁平面の大部を占める状態になる複数の収容空間１５に区切られ、且つ、各収容空間１５にそれぞれ開口１５１がついている。
【００２２】
前記扁平なクッション体２は、カバー１と同じくほぼ四角形のものであるが、従来のような膨大なクッション体ではなく、複数の軽量なものであって、それぞれ前記複数の収容空間１５の一つに、該一つの収容空間１５に属する開口１５１から取り出せるように形成され、収容されている。
【００２３】
即ち、複数のクッション体２は、合わせて全体が従来の膨大なクッション体になるが、それぞれ軽量なものであって、開口１５１付き収容空間１５から容易に取り出せる。従って、従来の膨大なクッション体より清潔にしやすくなる。
【００２４】
また、本実施例における複数のクッション体２は、すべてエラストマー材からなっている。エラストマー材の例としては、スチレン−イソプレン−スチレン（ＳＩＳ）、スチレン−ブタジエン−スチレン（ＳＢＳ）、スチレン−エチレン／ブチレン−スチレン（ＳＥＢＳ）などのスチレン、ブタジエン、イソプレン、エチレン等の単量体から重合により形成された熱可塑性エラストマーが挙げられる。
【００２５】
該エラストマー材からなっているクッション体２は、いずれも、健康促進の機能をもっている機能性物質２２が更に均一に混在している。即ち、クッション体２は、いずれも機能性物質２２が均一に混在しているエラストマー材から形成されたものである。それがために、この実施例の敷布団は、いずれのクッション体２も健康促進効果のあるクッション体であり、健康促進の有効範囲が、クッション体２自体の全体だけでなく、敷布団全体にも至るのであり、使用者が敷布団の上にどんなに転がったり姿勢を変更したりしても、範囲内におるので、クッション体２の位置変更の必要がない。
【００２６】
なお、この実施例の敷布団は、各クッション体２が、それに混在している機能性物質２２により健康促進効果を生かすので、従来の健康促進用敷布団のように機能手段がカバーやクッション体２から突出して体を突いて坐臥の快適さに悪影響を与えることがない。
【００２７】
もちろん、場合によって健康促進効果のあるクッション体が一つまたはいくつかしか備わっていなくても良い。その場合、必要に応じ、該一つまたはいくつかのクッション体２を随意にカバー１における複数の収容空間１５の適当な一つまたはいくつかに位置交換すれば良い。
【００２８】
以下、この実施例の敷布団の構造をもっと詳しく説明する。
【００２９】
カバー１は、下敷きとなっている第一の織物層１１と、上面となっている第二の織物層１２と、からなっている。
【００３０】
図１及び図２に示すように、前記第一の織物層１１は、ほぼ四角形（長方形）になっている。前記第二の織物層１２は、２枚あって、前記ほぼ四角形の第一の織物層１１の上面に並列に且つ合わせて同じくほぼ四角形に配置されている上、それぞれが、前記第一の織物層との縫合せにより他の一枚に向かっている方が前記開口１５１となった一列の前記収容空間１５と区切られている。
【００３１】
詳しく言えば、前記第一の織物層１１と２枚の第二の織物層１２は、縫いつき線１４（図示長方形における長手方向に沿っている縫いつき線１４１と短手方向に沿っている縫いつき線１４２）による縫合せで、前記カバー１となると同時に、カバー１の内部も前記複数の収容空間１５に区切られている。
【００３２】
図２に示すように、前記２枚の第二の織物層１２の互いに隣接している側縁は、いずれも下に折り畳まれており、且つ、前記区切られている収容空間１５のいずれにも入れられているクッション体２の隣接端縁を挟んで係止するための係止手段１３となっている。そのため、本考案の敷布団は、各収容空間１５の開口１５１にそれぞれボタンやジッパーなどを取り付けて、それによる閉めでクッション体２の逸脱を阻止する必要がない。
【００３３】
本実施例におけるクッション体２は、いずれにも、機能性物質２２として、遠赤外線放射の機能をもっているもの、マイナスイオンの産生機能をもっているもの、及び抗菌機能をもっているものが混在しているが、他の機能、例えば磁場をつくる磁石粉末なども混在していても良く、また、使用目的や人体における対象部位に応じて、成分の違う混合物がそれぞれ何種類のクッション体に混在していても良い。
【００３４】
遠赤外線放射の機能をもっている機能性物質の例としては、ＺｎＯ２、ＡｌＯ２、ＴｉＯ２、Ｓｂ２Ｏ３微粒子、またはそれらの一以上の混合物が挙げられる。
【００３５】
マイナスイオンの産生機能をもっている機能性物質の例としては、トルマリンなどのケイ酸塩鉱物の微粒子が挙げられる。
【００３６】
抗菌機能をもっている機能性物質の例としては、ナノ銀粒子、銀微粒子が挙げられる。
【００３７】
本実施例の敷布団は、スプリングつきのマットレスの表面層として使用されても良い。その場合、クッション体２自体の厚さは、２〜３．３ｍｍの範囲になるのが好ましい。
【００３８】
なお、本実施例の敷布団は、クッション体２に通孔２３が複数形成されているので、通気性がとても良い。
【００３９】
そして、図３は通孔（２３）中に設置されている芳香放出ユニットを示す分解図、図４は図３の芳香放出ユニットの断面を示す断面図である。
【００４０】
図３に示すように、本実施例の敷布団におけるクッション体２のいくつの通孔２３の中には、芳香剤３３を搭載している芳香放出ユニット３が取外し可能に設置されている。芳香放出ユニット３は、それに該当する通孔２３内の上開口近くに挿入されている上、その外周面が実矧ぎの接合方式で当該通孔２３の上開口の外周縁と接合して固定されている。もっと詳しく説明すると、通孔２３の上開口の外周縁には、複数の凹部２４が形成されており、前記芳香放出ユニット３が当該通孔２３に挿入されている場合、当該通孔２３の上開口外に臨んでいる前記芳香放出ユニット３の外周面の一端の端縁部には、複数の凸部３２が前記複数の凹部２４と対応的に形成される上、それぞれ対応の凹部２４と噛み合っている。
【００４１】
また、芳香放出ユニット３は、それ自体上開口部３０を持っており、且つその外周面の前記上開口部３０の外周面となっている箇所に前記複数の凸部３２がついている容器３１と、前記容器３１に収納されている前記芳香剤３３と、前記上開口部３０を覆うように前記クッション体２の上面に貼られている網状蓋３４と、その網状蓋３４を覆う上、そこから指だけでも剥がせるように、更に、前記クッション体２の上面に貼られている膜状蓋３５とからなっている。それにより、新品の敷布団を初めて使用しようとする時からに限り、膜状蓋３５を剥がすことで、使用前の芳香の散逸防止を図ることができ、また、膜状蓋３５をも網状蓋３４をも剥がせば芳香放出ユニット３を取り出すことで、芳香剤３３を添加したり芳香放出ユニット３全体を置き換えたりすることができる。
【産業上の利用可能性】
【００４２】
叙上のように、本考案の敷布団は、清潔にしやすく、健康促進の有効範囲が広く、有効位置が必要に応じて容易に拡大及び変更でき、また、健康促進手段が従来のように突出可能な独立体でなく坐臥の快適さに悪影響を与えないので、とても実用的である。
【図面の簡単な説明】
【００４３】
【図１】本発明の実施形態に係る敷布団を示す斜視図である。
【図２】図１の敷布団のＩＩ−ＩＩ線矢視断面図である。
【図３】クッション体の中に設置されている芳香放出ユニットを示す分解図である。
【図４】図３の芳香放出ユニットの断面を示す断面図である。
【符号の説明】
【００４４】
１…カバー
１１…第一の織物層
１２…第二の織物層
１３…係止手段
１４…縫いつき線
１４１…長手方向の縫いつき線
１４２…短手方向の縫いつき線
１５…収容空間
１５１…開口
２…クッション体
２２…機能性物質
２３…通孔
２４…凹部
３…芳香放出ユニット
３０…上開口部
３１…容器
３２…凸部
３３…芳香剤
３４…網状蓋
３５…膜状蓋
【図１】
0003145691.tif 000003
【図２】
0003145691.tif 000004
【図３】
0003145691.tif 000005
【図４】
0003145691.tif 000006